(57)【要約】【課題】後処理装置による処理の作業性の向上と、作業結果の確認の容易化。【解決手段】画像形成装置から排紙された用紙を処理する後処理装置であって、後処理装置を単独で作動させるための条件設定手段と、複数の給紙トレイと、制御手段とを備え、前記条件設定手段にて、小冊子を作成するための用紙の給紙手順の設定と、前記用紙に施す処理の設定と、作成する小冊子の部数の設定とを行い、前記制御手段は前記条件設定手段により設定された条件に従って後処理装置の作動を制御し、用紙の処理を行うようにしたことを特徴とする後処理装置。【選択図】        図１
2004205571.tif 000002
【特許請求の範囲】
【請求項１】
画像形成装置から排紙された用紙を処理する後処理装置であって、後処理装置を単独で作動させるための条件設定手段と、複数の給紙トレイと、制御手段とを備え、前記条件設定手段にて、小冊子を作成するための用紙の給紙手順の設定と、前記用紙に施す処理の設定と、作成する小冊子の部数の設定とを行い、前記制御手段は前記条件設定手段により設定された条件に従って後処理装置の作動を制御し、用紙の処理を行うようにしたことを特徴とする後処理装置。
【請求項２】
画像形成装置から排紙された用紙を処理する後処理装置であって、後処理装置を単独で作動させるための条件設定手段と、複数の給紙トレイと、複数の排紙トレイと、制御手段とを備え、前記条件設定手段にて、処理後の用紙を収納する排紙トレイを指定する設定と、排紙トレイへの用紙の排出形式を指定する排紙モードの設定とを行い、前記制御部が前記条件設定手段により設定された条件に従って、処理後の用紙を後処理装置の排紙トレイ、あるいは、前記後処理装置の下流に接続された他の後処理装置の排紙トレイに排出するように後処理装置の作動を制御することを特徴とする後処理装置。
【請求項３】
給紙トレイに用紙の有無、および、用紙のサイズを検知するセンサを設け、条件設定手段にて設定された条件に基づいた用紙の処理が終了した時点で、前記給紙トレイに用紙が残っていることを前記センサが検知した場合、あるいは、用紙の処理終了前に前記給紙トレイに処理すべき用紙が無くなったことを検知した場合、前記制御手段が、操作部に設けられた表示部に警告を表示するようにしたことを特徴とする請求項１、あるいは、請求項２に記載の後処理装置。
【発明の詳細な説明】
【０００１】
【発明の属する技術分野】
本発明は、複写機、プリンタ等の画像形成装置に付属して、画像が形成された用紙に対して穿孔処理、綴じ処理、折り畳み処理等の処理を行う後処理装置の改良に関する。
【０００２】
【従来の技術】
画像形成装置の多機能化や高速化が進む中で、画像形成装置により画像形成された用紙に対し、多様な使用目的に迅速に対応できるように、画像形成装置の下流に接続して、使用者が必要とする処理を自動的に施すことができる後処理装置への要求が高まっている。
【０００３】
この要求に対応するために、最近の後処理装置は、用紙に対して、ファイリング用の孔をあける穿孔処理、複数枚の用紙を綴じる綴じ処理、用紙を二つ折りまたは三つ折りに折りたたむ折り畳み処理、画像形成された用紙の先頭、中間、後尾に表紙、中間紙、裏表紙を付加するインターシート処理等を行うための機能を有している。
【０００４】
このような後処理装置は、単に、画像形成装置により画像形成されて排出された用紙に対して処理を行うという目的だけに使用されるのではなく、画像形成装置とは無関係に、自身が備えている複数の給紙トレイより、予め画像が形成されている用紙、あるいは、その他適宜な用紙を給紙して、上述したような各種の処理を施すための単独の用紙処理装置として使用される場合も多い。
【０００５】
例えば、後処理装置の給紙トレイから用紙を給紙して、穿孔処理、綴じ処理、折り畳み処理を施すことにより小冊子を作成すること等である。
【０００６】
上述のような使用に供するために、後処理装置に専用の操作部と給紙部を設け、前記操作部にて用紙に施す処理の設定を行った後に給紙部より用紙を給紙して、設定された処理を実行させるという提案もなされている（例えば、特許文献１参照。）。
【０００７】
【特許文献１】
特開２００２−１７９３３１号公報（１−３頁、第１図）
【０００８】
【発明が解決しようとする課題】
上述の提案を含め、従来の後処理装置を使用して穿孔処理、綴じ処理、折り畳み処理、あるいは、インターシート処理を行う場合には、その処理に適合するように各種の用紙を、後処理装置の所定の給紙トレイに載置して、施すべき処理を指示するためのいくつかの設定を操作部にて行い、設定された条件にて所定の処理を実行させる。しかしながら、その処理内容は複数枚の用紙からなる本文の前後に、表紙や裏表紙を付加して穿孔処理、綴じ処理、折り畳み処理を行う程度のものであった。
【０００９】
本発明は、より複雑な後処理を効率よく手軽に行えるように、その後処理に必要とする条件設定ができるように、条件設定手段である後処理装置の操作部を改良して、複数の給紙トレイ、複数の排紙トレイ、および、各種の処理手段を一層有効に活用できるようにすると共に、使用者の作業ミス、あるいは、後処理装置の給紙ミスを検知することにより、作業結果の確認ができるようにするものである。
【００１０】
【課題を解決するための手段】
（１）  画像形成装置から排紙された用紙を処理する後処理装置であって、後処理装置を単独で作動させるための条件設定手段と、複数の給紙トレイと、制御手段とを備え、前記条件設定手段にて、小冊子１部を作成するための用紙の給紙手順の設定と、前記用紙に施す処理の設定と、作成する小冊子の部数の設定とを行い、前記制御手段は前記条件設定手段により設定された条件に従って後処理装置の作動を制御し、用紙の処理を行うようにしたことを特徴とする後処理装置。
【００１１】
（２）  画像形成装置から排紙された用紙を処理する後処理装置であって、後処理装置を単独で作動させるための条件設定手段と、複数の給紙トレイと、制御手段とを備え、前記条件設定手段にて、処理後の用紙を収納する排紙トレイを指定するための設定と、排紙トレイへの用紙の排出形式を指定する排紙モードの設定とを行い、前記制御部が前記条件設定手段により設定された条件に従って、処理後の用紙を後処理装置の排紙トレイ、あるいは、前記後処理装置の下流に接続された複数の後処理装置の排紙トレイに排出するように後処理装置の作動を制御することを特徴とする後処理装置。
【００１２】
（３）  給紙トレイに用紙の有無、および、用紙のサイズを検知するセンサを設け、条件設定手段にて設定された条件に基づいた用紙の処理が終了した時点で、前記給紙トレイに用紙が残っていることを前記センサが検知した場合、あるいは、用紙の処理終了前に前記給紙トレイに処理すべき用紙が無くなったことを検知した場合、前記制御手段が、操作部に設けられた表示部に警告を表示するようにしたことを特徴とする（１）、あるいは、（２）に記載の後処理装置。
【００１３】
【発明の実施の形態】
図１は本発明の実施の形態に係る後処理装置Ｆ１、Ｆ２、Ｆ３と画像形成装置Ａとからなる画像形成システムの構成を示す模式図である。また、図２は前記画像形成システムの制御関係を示すブロック図である。
【００１４】
以下、図１を基に、また、適宜に図２を参照しながら説明をする。
図示の画像形成装置Ａは、画像読み取り部１、画像処理部２、画像書き込み部３、画像形成部４、カセット給紙部５、大容量給紙部６、定着装置７、排紙部８、自動両面コピー給紙部９を備えている。
【００１５】
画像形成装置Ａの上部には、自動原稿送り装置ＤＦが搭載されている。画像形成装置Ａの図示の左側面の排紙部８側には、後処理装置Ｆ１、さらに下流には、後処理装置Ｆ２、Ｆ３が連結されている。
【００１６】
自動原稿送り装置ＤＦの原稿台上に載置された原稿ｄは矢印方向に搬送され画像読み取り部１の光学系により原稿の片面又は両面の画像が読みとられ、ＣＣＤイメージセンサ１Ａに読み込まれる。
【００１７】
ＣＣＤイメージセンサ１Ａにより光電変換されたアナログ信号は、画像処理部２において、アナログ処理、Ａ／Ｄ変換、シェーディング補正、画像圧縮処理等がなされた後、画像書き込み部３に出力される。
【００１８】
画像書き込み部３においては、画像形成部４の感光体ドラム３１の表面がレーザビームにより走査され、潜像が形成される。画像形成部４においては、帯電、露光、現像、転写、分離、クリーニング等の公知の電子写真プロセスによる処理が行われ、カセット給紙部５又は大容量給紙部６から搬送された用紙Ｐにトナー画像が転写される。トナー画像を担持した用紙Ｐは、定着装置７による画像定着処理が施された後、排紙部８から後処理装置Ｆ１に送り込まれる。また、両面コピーの場合には、片面に画像が形成された用紙Ｐは、搬送路切り替え板８Ａにより自動両面コピー給紙部９に送り込まれ、再び、画像形成部４において、他面への画像形成がなされた後、排紙部８から後処理装置Ｆ１に送り込まれる。
【００１９】
後処理装置Ｆ１には、穿孔手段１０、シフト手段１１、中間スタッカ１２、中間スタッカ１２に用紙を堆積させるストッパ１３、ステープラ１４、折り畳み手段１５、および、給紙トレイ２０、２１が設けられている。
【００２０】
穿孔手段１０はファイル用の孔を用紙にあけるもので、条件設定手段である操作部５１により設定された設定条件に従って、画像形成装置Ａから送られた用紙Ｐ、あるいは、後処理装置の給紙トレイ２０、２１から送られた用紙Ｐ２０、用紙Ｐ２１の縦辺部又は横辺部に孔をあける。また、穿孔手段１０は後に説明するように、用紙のサイズに応じて穿孔位置を変えて穿孔処理を行い、各サイズに対して適正な位置に穿孔処理を行う。
【００２１】
シフト手段１１は、用紙Ｐ、または、用紙Ｐ２０、２１を搬送幅方向に、設定枚数毎に排紙位置を変えて、排紙ローラ３３により後処理装置Ｆ２に排出する処理ユニットであり、何枚毎にシフトするかは操作部５１から設定される。
【００２２】
１４は中間スタッカ１２に積載された用紙Ｐ、または、用紙Ｐ２０、Ｐ２１の束を針で綴じるステープラである。綴じ枚数、綴じ位置（縦辺部か横辺部か）、および、綴じ箇所数等の処理条件は操作部５１から設定することができる。
【００２３】
折り畳み手段１５は、中間スタッカ１２に堆積された用紙Ｐ、または、Ｐ２０、２１を折り畳み、処理後の用紙を搬送ベルト１６により後処理装置Ｆ２に排出する。
【００２４】
なお、穿孔手段１０、シフト手段１１、ステープラ１４、および、折り畳み手段１５の処理条件は、画像形成装置Ａの操作部（不図示）からも設定される。
【００２５】
後処理装置Ｆ１には、次に説明する各種のトレイが設けられる。
給紙トレイ２０、２１は画像形成装置Ａから排紙された用紙Ｐに付加するための用紙Ｐ２０、Ｐ２１、または、画像形成装置Ａとは無関係に後処理装置Ｆ１、Ｆ２単独で処理を行う場合に、設定条件に整合するように載置された用紙Ｐ２０、２１を、設定条件に従って給紙するためのトレイであり、本実施の形態は２個の給紙トレイを持つが、３個以上の複数の給紙トレイを設けることもできる。
【００２６】
後処理装置Ｆ１に設けられた排紙トレイ２２は、画像形成装置Ａから排紙された用紙Ｐ、または、給紙トレイ２０、２１から給紙され、穿孔処理後の用紙Ｐ２０、２１を受ける排紙トレイである。
【００２７】
後処理装置Ｆ２には、シフト手段１１、ステープラ１４、折り畳み手段１５により処理された用紙Ｐ、Ｐ２０、Ｐ２１を受ける複数の排紙トレイ１０１、１０２、１０３、１０４、１０５が設けられている。どの排紙トレイに排紙するかは、操作部５１により設定された条件に従って制御手段５００が作動を制御する複数の搬送ベルト１１１、１１２、１１３、１１４、１１５と複数の可動ガイド１２１、１２２、１２３、１２４、１２５とからなる振り分け手段１００により決められる。
【００２８】
なお、後処理装置Ｆ３にも後処理装置Ｆ２と同様に、複数の排紙トレイ２０１、２０２、２０３，２０４、２０５（不図示）と、振り分け手段（不図示）と、後処理装置Ｆ２とは通信手段で結ばれた制御部（不図示）とが設けられており、操作部５１においては、後処理装置Ｆ２に追加された排紙トレイのように扱うことができ、そのための条件設定ができる。
【００２９】
画像形成装置Ａから排紙された用紙Ｐの後処理装置Ｆ１、Ｆ２内における搬送、および、処理は次のようにして行われる。
【００３０】
画像形成装置Ａから排紙された用紙Ｐを排紙順に排紙する場合には、搬送ローラ３０、３１、３７及び３８により搬送し、排紙トレイ２２に用紙Ｐを排紙する。穿孔処理を行う場合には、搬送ローラ３０と３１との間で穿孔手段１０により穿孔処理を行う。
【００３１】
設定枚数毎にシフト処理を行う場合には、画像形成装置Ａから排紙された用紙Ｐを搬送ローラ３０、３１によりシフト手段１１に搬送し、シフト処理した後に排紙ローラ３３によって排紙口Ｅ１より後処理装置Ｆ２に送り出して、後処理装置Ｆ２、または、Ｆ３の予め設定されている排紙トレイに排出する。なお、複数ページからなる用紙Ｐの先頭、中間、あるいは、後尾に他の用紙を差し込む処理を行う場合には、設定された条件に従って、用紙給紙トレイ２０、または、２１から用紙Ｐ２０、または、Ｐ２１を給紙して、挿入を行う。
【００３２】
綴じ処理においては、画像形成装置Ａから排紙された用紙Ｐを搬送ローラ３０、３１、３４、３５、および、３６により搬送し、中間スタッカ１２上に設定枚数の用紙Ｐを堆積させた後に、ステープラ１４により綴じ処理を行う。綴じ処理後、用紙Ｐの束を中間スタッカ１２により押し上げ、排紙ローラ３３に挟持させ、排紙ローラ３３により、排出口Ｅ１より後処理装置Ｆ２に排出する。
【００３３】
折り畳み処理においては、中間スタッカ１２に堆積された用紙Ｐを折り畳み手段１５において折り畳み、搬送ベルト１６により、排出口Ｅ２より後処理装置Ｆ２に排出する。
【００３４】
綴じ処理、あるいは、折り畳み処理のいずれにおいても、用紙給紙トレイ２０又は２１から用紙Ｐ２０、Ｐ２１を給紙して用紙Ｐに付加することにより、仕切、表紙、裏表紙等を有する小冊子を作成することができる。
【００３５】
なお、後処理装置Ｆ１、Ｆ２のどの排紙トレイに排紙するかという排紙先の選択は、あらかじめ、画像形成装置Ａの操作部（不図示）、あるいは、後処理装置Ｆ１の操作部５１にて設定されている。
【００３６】
本実施の形態においては、後処理装置Ｆ１、Ｆ２は、画像形成装置Ａから独立して施す処理の設定を操作部５１にて行い、給紙トレイ２０、２１から用紙Ｐ２０、Ｐ２１を給紙し、穿孔処理、シフト処理、綴じ処理、折り畳み処理、インターシート処理を行うことができる。
【００３７】
なお、連結される後処理装置の台数は、本実施の形態においては３台を例に挙げ説明をしているが、これに限定されるものではなく、１台、および、複数台数の場合においても同様な処理が可能である。
【００３８】
用紙給紙トレイ２０に載置された用紙Ｐ２０は給紙手段としての送り出しローラ４０、分離ローラ４１、および、搬送ローラ４２、４５により搬送され、搬送ローラ３０、３１により形成される搬送路に搬送される。用紙給紙トレイ２１に載置された用紙Ｐ２１は給紙手段としての送り出しローラ４３、分離ローラ４４及び搬送ローラ４５により搬送され、前記搬送路に搬送される。
【００３９】
搬送ローラ３０及び３１により形成される前記搬送路に搬送された用紙Ｐ２０、Ｐ２１は、画像処理装置Ａから排紙された用紙Ｐに対する前述の処理である穿孔処理、シフト処理、綴じ処理、折り畳み処理、および、インターシート処理が、設定条件に基づいて行われる。
【００４０】
本実施の形態においては、後処理装置Ｆ１は条件設定手段としての操作部５１を有し、図２に示すように制御手段５０は操作部５１において設定された条件に従って、穿孔手段１０、シフト手段１１、綴じ手段１４、給紙手段４６（送り出しローラ４０、４３、分離ローラ４１、４４及び搬送ローラ４２、４５等からなる）、搬送部４７（搬送ローラ３０、３１、３４、３５、３６や搬送ガイド３９等からなる）を制御すると共に、通信手段５０１、５０２により接続されている制御手段５００を介して、後処理装置Ｆ２の複数の搬送ベルトとローラ等から構成される搬送手段２００と振り分け手段１００とを制御する。
【００４１】
操作部５１を示す図３から明らかなように、操作部５１にはテンキー５２、スタートキー５３、タッチセンサの機能を有する表示部５４、および、各種の機能キー５５〜６２が設けられており、これらが各種の処理条件を設定する条件設定手段を構成している。
【００４２】
５５の「トレイ１」は給紙トレイ２０を選択するキー、５６の「トレイ２」は給紙トレイ２１を選択するキーである。５７は穿孔モードを設定する穿孔キー、５８はシフトモードを設定するシフトキー、５９は綴じ処理モードを設定するステープルキー、６０は折り畳みモードを設定する折り畳みキー、６１はトレイ２０、あるいは、トレイ２１から給紙される用紙Ｐ２０、Ｐ２１を、何枚ずつ、どのような順番で並べて一部を構成するかを設定するページ編集キーである。
【００４３】
次に、後処理装置Ｆ１、Ｆ２、Ｆ３を使用して、給紙トレイ２０、２１から給紙された用紙Ｐ２０、２１に対して、操作部５１にある各種キーを用いた設定操作により行われる処理について、表示部５４にて表示される画面を示す図３、４、５、６、７と、設定操作の手順を示すフローチャートである図８を適宜に用いて説明をする。
【００４４】
ここでは、処理例として、給紙トレイ２０に表紙、インデックスページ、裏表紙の計３枚を、この順番に重ねたものを５組載置し、給紙トレイ２１には８ページからなるページ順に重ねられた本文を５部載置して、５組の小冊子を作成する場合を挙げ説明をする。
【００４５】
ページ編集キー６１を押すと、図４のような画面が表示部５４に現れる（図８、Ｓ１）。これは、複数ページからなる小冊子のページ構成を設定するものである。トレイの文字が点滅することにより給紙トレイの選択を促す表示に従って、小冊子の先頭に来る用紙が載置されている給紙トレイ２０を選択する「トレイ１」のボタンを押すと、図に示す四角の枠内に「１」が表示され、トレイ１（給紙トレイ２０）が選択されたことを示す。次に、選択したトレイから連続して給紙する枚数をテンキーにて入力する（この例では、表紙とインデックスページの枚数である「２」を入力する）。同様に、「トレイ２」（給紙トレイ２１）を押し、テンキーにて本文の枚数である「８」を入力する。再び、「トレイ１」（給紙トレイ２０）を選択し、テンキーにて裏表紙の枚数である「１」を入力する。この一連の操作により小冊子のページ構成が設定される。表示部５４の画面にある「編集終了」の位置を押すと、作成する部数の設定を促す表示が現れるので、テンキーにて作成部数の「５」を入力する。設定に誤りが無ければ、「設定終了」の位置を押すことにより、ページ編集に関わる設定作業を終了させ、次の小冊子作成のための設定作業に移る。
【００４６】
穿孔キー５７を押すと、表示部５４に図５に示す画面が表示される（図８、Ｓ４）。表示ＰＡを押すと用紙Ｐの左辺部に縦列の穿孔処理を行うモードが、ＰＢを押すと、用紙Ｐの左辺部の縦２カ所に穿孔処理を行う穿孔モードが、ＰＣを押すと、用紙Ｐの上辺部の横２カ所に穿孔処理を行う穿孔モードがそれぞれ選択される。
【００４７】
用紙給紙トレイ２０、２１には用紙の載置の有無を検知すると共に、用紙のサイズを検知する用紙サイズセンサＰＳ１、ＰＳ２が設けられている。制御手段５０は用紙サイズセンサＰＳ１、ＰＳ２からのサイズ検知信号に基づいて穿孔手段１０の穿孔位置を制御し、各サイズに適合した位置に穿孔処理をする制御を行う。
【００４８】
ステープルキー５９を押した場合には、表示部５４に図６に示す画面が表示される（図８、Ｓ７）。斜めのステープル位置表示ＴＡ、縦のステープル位置表示ＴＢ又は横のステープル表示ＴＣを押すことにより、ステープル位置が選択される。
【００４９】
綴じ処理においても、用紙サイズセンサＰＳ１、ＰＳ２のサイズ検知信号に基づいて、各サイズに適合した綴じ処理が行われる。
【００５０】
なお、穿孔処理、ステープル処理いずれの場合にも、優先モードが用意されており、単に、穿孔キー５７、または、ステープルキー５９を押して、次の処理設定のキーを押すことにより、図５、６の画面による位置選択の操作を行わないでも、それぞれの優先設定がされている条件にて処理が実行されるように構成されている（図８、Ｓ５、Ｓ８）。図５における表示ＰＡ、ＰＢ、ＰＣのいずれを優先とするか、また、図６における表示ＴＡ、ＴＢ、ＴＣのいずれを優先とするかは、予め操作部５１にて設定することができる。
【００５１】
折り畳み処理を行う場合には、折り畳みキー６０を押すことにより、処理設定が自動的になされる（図８、Ｓ１０、Ｓ１１）。
【００５２】
排紙トレイキー６２を押すと表示部５４に図７に示す画面が表示される（図８、Ｓ１２）。
【００５３】
もし、さらに後処理装置Ｆ２の下流に、Ｆ２と同様な振り分け手段と排紙トレイを有する後処理装置Ｆ３が連結されている場合には、表示部５４には図に示すような後処理装置Ｆ２の排紙と同じ形式で後処理装置Ｆ３の排紙トレイが表示される。
【００５４】
排紙トレイ２２を含む各トレイには、アドレスが付されており、表示部５４の画面上に表示されたアドレス表示部を押すことにより、排紙トレイの選択を行う。
【００５５】
排出モードの指定は、表示されたモード指定部３０１、３０２、３０３、３０４を押すことによりなされる。
【００５６】
例えば、モード指定部３０１が押され、次に排紙トレイのアドレスを示す部分が押された場合には、後処理装置Ｆ１で処理された用紙Ｐ２０、２１は全て前記のアドレスの排紙トレイに排出される。モード指定部３０２が押され、次に排紙トレイのアドレスを示す部分が押された場合には、前記アドレスの排紙トレイを先頭にして、順次、次のアドレスの排紙トレイに排出される。
【００５７】
同様にして、モード指定部３０３が押された場合には、先頭の排紙トレイから次の排紙トレイに順次排出され、最後尾の排紙トレイから再び先頭の排紙トレイに戻るように排出がなされる。また、モード指定部３０４が押された場合には、先頭の排紙トレイが満杯になると次の排紙トレイに排出が移るように設定がなされる。
【００５８】
なお、排紙トレイのアドレスの設定を行い、モード指定を行わずに次のステップに移行したときには、モード指定部３０１が押された場合と同様に、排紙は全て、設定されたアドレスの排紙トレイになされるように条件の設定がなされる。
【００５９】
以上、編集６１、穿孔５７、ステープル５９、折り畳み６０、排紙トレイ６２の機能キーとテンキー５２による設定を終え、次にスタートボタン５３を押すことにより後処理装置Ｆ１、２、３の処理動作が開始される。
【００６０】
なお、前記処理動作が終了した時に、給紙トレイ２０、または、２１に用紙Ｐ２０、または、Ｐ２１が残っていることを用紙サイズセンサＰＳ１、あるいは、ＰＳ２が検出した場合には、使用者による給紙トレイ２０、２１への用紙Ｐ２０、２１の載置の数量が正しくなかったか、または、後処理装置Ｆ１による給紙が正しく行われなかったものと判断し、表示部５４に警告を表示する。また、前記処理動作中に給紙トレイ２０、または、２１から必要とする用紙Ｐ２０、または、Ｐ２１が無くなったことを用紙サイズセンサＰＳ１、あるいは、ＰＳ２が検出した場合にも、同様な表示が出される。
【００６１】
【発明の効果】
本発明により、後処理装置を単独で使用して、複雑な作業を実行させることが可能となり、各種用紙への多様な後処理を容易に施すことができる。
【図面の簡単な説明】
【図１】画像形成装置と後処理装置とからなる画像形成システムの模式図である。
【図２】画像形成装置と後処理装置の制御関係を示すブロック図である。
【図３】操作部を示す図である。
【図４】ページ編集処理の設定を行うための表示画面である。
【図５】穿孔処理の設定を行うための表示画面である。
【図６】綴じ処理の設定を行うための表示画面である。
【図７】排紙トレイと排紙モードの設定を行うための表示画面である。
【図８】設定操作の手順を示すフローチャートである。
【符号の説明】
１  画像読み取り部
２  画像処理部
３  画像書き込み部
４  画像形成部
５  カセット給紙部
６  大容量給紙部
７  定着装置
８  排紙部
９  自動両面コピー給紙部
１０  穿孔手段
１１  シフト手段
１４  ステープラ
１５  折り畳み手段
２０、２１  給紙トレイ
２２  排紙トレイ
５１  操作部
５４  表示部
１００  振り分け手段
２００  搬送手段
Ｐ、Ｐ２０、Ｐ２１  用紙
１０１〜１０５  排紙トレイ
【図１】
2004205571.tif 000003
【図２】
2004205571.tif 000004
【図３】
2004205571.tif 000005
【図４】
2004205571.tif 000006
【図５】
2004205571.tif 000007
【図６】
2004205571.tif 000008
【図７】
2004205571.tif 000009
【図８】
2004205571.tif 000010